(57)【特許請求の範囲】
【請求項１】
ディスク状の光学記録媒体の径方向に移動可能とされたフレームと、
上記フレームに配設された第１の対物レンズと、
上記フレームに配設され、上記第１の対物レンズに対して第１の光路を経て入射される光束を発する第１の光源と、
上記フレームに配設された第２の対物レンズと、
上記フレームに配設され、上記第２の対物レンズに対して第２の光路を経て入射される光束を発する第２の光源とを備え、
上記第１の光路と上記第２の光路は、互いに交差されていることを特徴とする光学ピックアップ。
【請求項２】
上記第１及び第２の対物レンズは、開口数が互いに異なることを特徴とする請求項１記載の光学ピックアップ。
【請求項３】
上記第１及び第２の光源は、互いに異なる波長の光束を発することを特徴とする請求項１記載の光学ピックアップ。
【請求項４】
上記第１及び第２の光路は、第１及び第２の対物レンズの光軸に垂直な方向となされている部分において互いに交差されていることを特徴とする請求項１記載の光学ピックアップ。
【請求項５】
ディスク状の光学記録媒体を回転操作する回転操作機構と、
上記ディスク状の光学記録媒体の径方向に移動可能とされたフレームと、上記フレームに配設された第１の対物レンズと、上記フレームに配設され、上記第１の対物レンズに対して第１の光路を経て入射される光束を発する第１の光源と、上記フレームに配設された第２の対物レンズと、上記フレームに配設され、上記第２の対物レンズに対して第２の光路を経て入射される光束を発する第２の光源とを備え、上記第１の光路と上記第２の光路とが互いに交差されている光学ピックアップと
を備えていることを特徴とするディスクプレーヤ。
【請求項６】
上記第１及び第２の対物レンズは、開口数が互いに異なることを特徴とする請求項５記載のディスクプレーヤ。
【請求項７】
上記第１及び第２の光源は、互いに異なる波長の光束を発することを特徴とする請求項５記載のディスクプレーヤ。
【請求項８】
上記第１及び第２の光路は、第１及び第２の対物レンズの光軸に垂直な方向となされている部分において互いに交差されていることを特徴とする請求項５記載のディスクプレーヤ。
【発明の詳細な説明】
【０００１】
【発明の属する技術分野】
本発明は、光ディスクの如き光学記録媒体に対する情報信号の書き込み及び読み出しを行う光学ピックアップ及びこの光学ピックアップを備えて構成され光ディスクに対して情報信号の記録及び再生を行うディスクプレーヤに関する技術分野に属する。
【０００２】
【従来の技術】
従来、情報信号の記録媒体として種々の光ディスクの如き光学記録媒体が提案され、また、このような光学記録媒体に対して情報信号の書き込み及び読み出しを行う光学ピックアップが提案されている。このような光学記録媒体は、ポリカーボネイトの如き透明材料からなる透明基板と、この透明基板の一主面部上に被着形成された信号記録層とを有して構成されている。
【０００３】
光学ピックアップは、図１０に示すように、光源となる半導体レーザ１０３を図示しないフレーム内に収納し、図１１に示すように、この半導体レーザ１０３より発せられた光束がビームスプリッタ１０４及び反射ミラー１０５を介して入射される対物レンズ１０６、及び、光検出器であるフォトディテクタ１０７を有して構成されている。
【０００４】
対物レンズ１０６に入射された光束は、この対物レンズ１０６により、光学記録媒体１０１の信号記録面上に集光して照射される。このとき、この光束は、光学記録媒体１０１の透明基板側よりこの光学記録媒体１０１に対して照射され、該透明基板を透過して信号記録層の表面部である信号記録面上に集光される。この対物レンズ１０６は、二軸アクチュエータ１０８に支持されて移動操作されることにより、常に、信号記録面上の情報信号が記録される箇所、すなわち、記録トラック上に光束を集光させる。
【０００５】
記録トラックは、光学記録媒体がディスク状に構成されている場合においては、この光学記録媒体の主面部上において、略々同心円状をなす螺旋状に形成されている。
【０００６】
二軸アクチュエータ１０８は、基台部１０９に対して板バネ１１０を介して移動可能に支持された可動部であるコイルボビン１１１を有している。対物レンズ１０６は、コイルボビン１１１上に取付けられている。基台部１０９上には、マグネット１１３及びヨーク１１２からなる磁気回路が配設されている。そして、コイルボビン１１１には、フォーカス駆動コイル及びトラッキング駆動コイルが取付けられている。このフォーカス駆動コイルに駆動電流が供給されると、このフォーカス駆動コイルは、磁気回路より電磁力を受け、コイルボビン１１１を、図１１中矢印Ｆで示す対物レンズ１０６の光軸方向、すなわち、フォーカス方向に移動させる。また、トラッキング駆動コイルに駆動電流が供給されると、このトラッキング駆動コイルは、磁気回路より電磁力を受け、コイルボビン１１１を、図１０中矢印Ｔで示す対物レンズ１０６の光軸及び記録トラックに直交する方向、すなわち、トラッキング方向に移動させる。
【０００７】
光学記録媒体１０６においては、対物レンズ１０６を経た光束が集光されて照射されることにより、この光束が照射された箇所において情報信号の書き込み、または、読み出しが行われる。
【０００８】
信号記録面上に照射された光束は、この信号記録面上に記録された情報信号に応じて、光量、または、偏光方向を変調されて該信号記録面により反射され、対物レンズ１０６に戻る。
【０００９】
信号記録面により反射された反射光束は、対物レンズ１０６、反射ミラー１０５及びビームスプリッタ１０４を経て、フォトディテクタ１０７により受光される。このフォトディテクタ１０７は、フォトダイオードの如き受光素子であって、対物レンズ１０６を経た反射光束を受光し、電気信号に変換する。このフォトディテクタ１０７より出力される電気信号に基づいて、光学記録媒体１０１に記録された情報信号の再生が行われる。
【００１０】
また、フォトディテクタ１０７より出力される電気信号に基づいて、対物レンズ１０６による光束の集光点と信号記録面との該対物レンズ１０６の光軸方向の距離を示すフォーカスエラー信号、及び、該集光点と該信号記録面上の記録トラックとの該信号記録面上の距離を示すトラッキングエラー信号が生成される。二軸アクチュエータ１０８は、これらフォーカスエラー信号及びトラッキングエラー信号に基づいて制御され、これら各エラー信号が０に収束するように対物レンズ１０６を移動操作する。
【００１１】
ところで、このような光学記録媒体においては、コンピュータ用の補助記憶装置として、また、音声及び画像信号の記録媒体として用いるために、情報信号の記録密度の高密度化が進められている。
【００１２】
このように記録密度が高密度化された光学記録媒体に対して情報信号の書き込み及び読み出しを行うには、対物レンズをよりＮＡ、すなわち、開口数の大きなものとするとともに、光源の発光波長をより短波長化して、この光学記録媒体上に光束が集光されることにより形成されるビームスポットを小さくする必要がある。
【００１３】
しかしながら、対物レンズの開口数が大きくなると、光学記録媒体の傾き、この光学記録媒体の透明基板の厚みムラ、及び、この光学記録媒体上における光束のデフォーカス、すなわち、焦点ずれに対する許容度が減少することとなり、この光学記録媒体に対する情報信号の書き込み及び読み出しが困難となってしまう。
【００１４】
例えば、光学記録媒体の対物レンズの光軸に対する傾き、すなわち、スキューが生ずると、信号記録面上に集光される光束において波面収差が生じ、フォトディテクタより出力される電気信号であるＲＦ出力に影響が出る。
【００１５】
この波面収差は、対物レンズの開口数の３乗と光学記録媒体の傾き角、すなわち、スキュー角の約１乗に比例して発生する３次のコマ収差が支配的である。したがって、光学記録媒体の傾きに対する許容値は、対物レンズの開口数の３乗に反比例することとなり、すなわち、この開口数が大きくなれば小さくなる。
【００１６】
厚さ１．２ｍｍ、直径８０ｍｍまたは１２０ｍｍの円盤状のポリカーボネイトにより形成された透明基板を有して構成され、現在、一般に広く用いられている光学記録媒体である光ディスク、いわゆる「コンパクトディスク」の如きものにおいては、±０．５°乃至±１°の傾きが生ずることがある。
【００１７】
このような光ディスクにおいては、この光ディスクに照射される光束において上述のような波面収差が生じ、この光ディスク上におけるビームスポットが非対称形状となり、符号間干渉が著しく生じて、正確な信号再生が困難となる。
【００１８】
このような３次のコマ収差の量は、光ディスクの透明基板の厚さに比例する。そのため、例えば０．６ｍｍ程度に透明基板の厚さを薄くすることにより、３次のコマ収差を半減させることができる。このようにしてコマ収差を減少させることとした場合、光ディスクとして、透明基板の厚さが１．２ｍｍのものと、該透明基板の厚さが０．６ｍｍのものとが混在して使用されることとなる。
【００１９】
ところで、対物レンズによって集光される収束光束の光路中に厚さｔの平行平面板が挿入されると、この厚さｔと該対物レンズの開口数ＮＡに関連して、ｔ×（ＮＡ）４に比例する球面収差が発生する。
【００２０】
対物レンズは、この球面収差が補正されるように設計される。すなわち、透明基板の厚さが異なると発生する球面収差の量も異なるので、対物レンズは、所定の透明基板の厚さに適合されたものとして設計される。
【００２１】
そして、例えば０．６ｍｍの厚さの透明基板を有する光ディスクに適合されて設計された対物レンズを用いて、１．２ｍｍの厚さの透明基板を有する光ディスク、例えば、「コンパクトディスク」、追記型光ディスク、光磁気ディスクに対して情報信号の記録及び再生を行おうとした場合には、これらの透明基板の厚さの違い、例えば０．６ｍｍが光学ピックアップが対応し得る透明基板の厚さの誤差の許容範囲を大幅に越えていることとなる。この場合には、対物レンズが透明基板の厚さの違いにより発生する球面収差を補正することができず、良好な情報信号の記録及び再生が行えない。
【００２２】
また、１．２ｍｍの厚さの透明基板を有する追記型光ディスクであるいわゆる「ＣＤ−Ｒ」においては、情報信号の読み出し時の波長依存性が高く、情報信号の記録密度の高密度化のために発光波長が短波長化された光源を用いては、情報信号の読み出しができない。すなわち、いわゆる「ＣＤ−Ｒ」の信号記録層は、有機色素系の材料によって形成されており、短波長化された光束、例えば、波長が６３５ｎｍ乃至６５０ｎｍの光束を吸収してしまい、反射率を低下させてしまうので、このような短波長化された光束によっては情報信号の読み出しができない。
【００２３】
そのため、従来、図１２に示すように、第１の半導体レーザ１０３より発せられる光束が入射される第１の対物レンズ１０６を支持する第１の二軸アクチュエータ１０８と、第２の半導体レーザ１１５より発せられる光束が入射される第２の対物レンズ１１８を支持する第２の二軸アクチュエータ１２０とを有する光学ピックアップが提案されている。各半導体レーザ１０３，１１５及び各二軸アクチュエータ１０８，１２０は、同一のフレーム１１４上に配設されている。
【００２４】
第１の半導体レーザ１０３より発せられた光束は、第１のビームスプリッタ１０４及び第１の反射ミラー１０５を経て、第１の対物レンズ１０６に入射される。また、第２の半導体レーザ１１５より発せられた光束は、第２のビームスプリッタ１１６及び第２の反射ミラー１１７を経て、第２の対物レンズ１１８に入射される。第１及び第２の対物レンズ１０６，１１８は、互いに光軸を平行としている。
【００２５】
第１及び第２の二軸アクチュエータ１０８，１２０は、それぞれ基台部１０９，１２１に対して板バネ１１０，１２２を介して移動可能に支持された可動部であるコイルボビン１１１，１２３を有している。各対物レンズ１０６，１１８は、コイルボビン１１１，１２３上に取付けられている。基台部１０９，１２１上には、それぞれマグネット１１３，１２５及びヨーク１１２，１２４からなる磁気回路が配設されている。そして、コイルボビン１１１，１２３には、それぞれフォーカス駆動コイル及びトラッキング駆動コイルが取付けられている。このフォーカス駆動コイルに駆動電流が供給されると、このフォーカス駆動コイルは、磁気回路より電磁力を受け、コイルボビン１１１，１２３を各対物レンズ１０６，１１８の光軸方向、すなわち、フォーカス方向に移動させる。また、トラッキング駆動コイルに駆動電流が供給されると、このトラッキング駆動コイルは、磁気回路より電磁力を受け、コイルボビン１１１，１２３を、図１２中矢印Ｔで示す対物レンズ１０６，１１８の光軸及び記録トラックに直交する方向、すなわち、トラッキング方向に移動させる。
【００２６】
第１の半導体レーザ１０３より発せられる光束と、第２の半導体レーザ１１５より発せられる光束とは、互いに波長が異なる。また、第１及び第２の対物レンズ１０６，１１５は、互いに開口数が異なる。
【００２７】
この光学ピックアップを備えて構成されたディスクプレーヤにおいては、透明基板の厚さが例えば０．６ｍｍの第１種類の光ディスク１０１または該透明基板の厚さが例えば１．２ｍｍの第２種類の光ディスクは、中心部分を図示しないスピンドルモータの駆動軸に取付けられたディスクテーブルにより保持され、回転操作される。そして、光学ピックアップは、ガイドシャフトにより、図１２中矢印Ｔで示すように、このガイドシャフトの軸方向に移動操作可能に支持されている。この光学ピックアップは、ディスクテーブル上に保持される光ディスクの径方向に移動操作される。
【００２８】
この光学ピックアップにおいては、第１種類の光ディスク１０１がディスクテーブル上に装着されたときには、第１の半導体レーザ１０３を点灯して第１の対物レンズ１０６を介して該第１種類の光ディスク１０１に対する情報信号の書き込み及び読み出しを行い、第２種類の光ディスクが該ディスクテーブル上に装着されたときには、第２の半導体レーザ１１５を点灯して第２の対物レンズ１１８を介して該第２種類の光ディスクに対する情報信号の書き込み及び読み出しを行う。
【００２９】
第１及び第２の二軸アクチュエータ１０８，１２０は、各対物レンズ１０６，１１８を、これら対物レンズ１０６，１１８の光軸方向であるフォーカス方向及びガイドシャフトの軸方向に平行な方向である図１２中矢印Ｔで示すトラッキング方向に移動操作することにより、これら対物レンズ１０６，１１８を光ディスク１０１上の記録トラックに追従させる。
【００３０】
【発明が解決しようとする課題】
ところで、上述のように、光源となる半導体レーザ、二軸アクチュエータ及び対物レンズをそれぞれ２個ずつ備えて構成された光学ピックアップにおいては、フレーム１１４は、図１２中矢印ｗで示すように、特に、各対物レンズ１０６，１１８の配列方向についての大きさが大きくなってしまう。これは、各対物レンズ１０６，１１８に至る各光路がそれぞれの占有体積を有しているためであり、すなわち、フレーム１１４は、少なくとも該各光路の占有する体積の総和を包含するだけの大きさを有している必要がある。
【００３１】
そこで、本発明は、上述の実情に鑑みて提案されるものであって、透明基板の厚さが異なる光学記録媒体に対して情報信号の書き込み及び読み出しが良好に行えるように複数の光源及び複数の対物レンズを備えた光学ピックアップであって、装置構成の小型化が図られた光学ピックアップの提供という課題を解決しようとするものである。
【００３２】
また、本発明は、本発明に係る光学ピックアップを備えて構成され、装置構成の小型化が図られたディスクプレーヤの提供という課題を解決しようとするものである。
【００３３】
【課題を解決するための手段】
上述の課題を解決するため、本発明に係る光学ピックアップは、ディスク状の光学記録媒体の径方向に移動可能とされたフレームと、フレームに配設された第１の対物レンズと、フレームに配設され、第１の対物レンズに対して第１の光路を経て入射される光束を発する第１の光源と、フレームに配設された第２の対物レンズと、フレームに配設され、第２の対物レンズに対して第２の光路を経て入射される光束を発する第２の光源とを備え、第１の光路と第２の光路が互いに交差されていることを特徴とする。
【００３４】
また、本発明に係るディスクプレーヤは、ディスク状の光学記録媒体を回転操作する回転操作機構と、ディスク状の光学記録媒体の径方向に移動可能とされたフレームと、フレームに配設された第１の対物レンズと、フレームに配設され、第１の対物レンズに対して第１の光路を経て入射される光束を発する第１の光源と、フレームに配設された第２の対物レンズと、フレームに配設され、第２の対物レンズに対して第２の光路を経て入射される光束を発する第２の光源とを備え、第１の光路と上記第２の光路とが互いに交差されている光学ピックアップとを備えている。
【００３５】
【発明の実施の形態】
以下、本発明の実施の形態を図面を参照しながら以下の順次により説明する。
【００３６】
〔１〕光学記録媒体の種類
〔２〕光学ピックアップの支持
〔３〕二軸アクチュエータ（対物レンズ駆動装置）の構成
〔４〕複数の光路
〔５〕ディスクプレーヤの構成
〔６〕複数の光路の他の例
【００３７】
〔１〕光学記録媒体の種類
この実施の形態は、本発明に係る光学ピックアップ及びディスクプレーヤを、図３及び図８に示すように、透明基板の厚さが０．６ｍｍのディスク状の光学記録媒体である第１種類の光ディスク１０１と、透明基板の厚さが１．２ｍｍのディスク状の光学記録媒体である第２種類の光ディスク１０２との双方に対して、レーザ光束を照射することによって情報信号の書き込み及び読み出しを行う光学ピックアップ及びディスクプレーヤとして構成したものである。
【００３８】
第１種類の光ディスク１０１は、厚さ０．６ｍｍ、直径１２０ｍｍの円盤状のポリカーボネイトにより形成された透明基板と、この透明基板の一主面部上に形成された信号記録層とを有して構成されている。この第１種類の光ディスク１０１は、２枚の第１種類の光ディスク１０１が信号記録層側同士を貼り合わされて、厚さ１．２ｍｍの円盤体、すなわち、両面型光ディスク、または、多層型光ディスクを構成している。
【００３９】
この第１種類の光ディスク１０１は、第１の波長である波長６３５ｎｍ（または、６５０ｎｍ）のレーザ光束により、開口数（ＮＡ）が０．６の対物レンズを介して、情報信号の書き込み及び読み出しをなされるように構成されている。信号記録層において、情報信号は、略々同心円状をなして螺旋状に形成された記録トラックに沿って記録される。
【００４０】
このような第１種類の光ディスク１０１に該当するものとしては、例えば、いわゆる「デジタル・ビデオ・ディスク（ＤＶＤ）」（商標名）が提案されている。
【００４１】
第２種類の光ディスク１０２は、厚さ１．２ｍｍ、直径８０ｍｍまたは１２０ｍｍの円盤状のポリカーボネイトにより形成された透明基板と、この透明基板の一主面部上に形成された信号記録層とを有して構成されている。
【００４２】
この第２種類の光ディスク１０２は、第２の波長である波長７８０ｎｍのレーザ光束により、開口数が０．４５の対物レンズを介して、情報信号の書き込み及び読み出しをなされるように構成されている。信号記録層において、情報信号は、略々同心円状をなして螺旋状に形成された記録トラックに沿って記録される。
【００４３】
このような第２種類の光ディスク１０２に該当するものとしては、例えば、いわゆる「コンパクト・ディスク（ＣＤ）」（商標名）やいわゆる「ＣＤ−ＲＯＭ」、「ＣＤ−Ｒ」が提案されている。
【００４４】
これら第１種類または第２種類の光ディスク１０１、１０２は、本発明に係る光学ピックアップを備えたディスクプレーヤにおいて、図５に示すように、シャーシに取付けられ回転操作機構を構成するスピンドルモータ１７により回転操作される。スピンドルモータ１７の駆動軸４２には、回転操作機構を構成するディスクテーブル４０が取付けられている。このディスクテーブル４０は、略々円盤状に形成され、上面部の中央に略々円錐台状の突起４１を有している。このディスクテーブル４０は、各光ディスク１０１，１０２の中心部分が載置されると、この光ディスク１０１，１０２の中央部分に設けられたチャッキング孔１０３に突起４１を嵌合させ、この光ディスク１０１，１０２の中心部分を保持するように構成されている。すなわち、光ディスク１０１，１０２は、ディスクテーブル４０上において中心部分を保持され、スピンドルモータ１７により、該ディスクテーブル４０とともに回転操作される。
【００４５】
〔２〕光学ピックアップの支持
光学ピックアップは、図２に示すように、シャーシ上に配設されたガイドシャフト１８及び支持シャフト１９により移動可能に支持されるフレーム１を有して構成される。ガイドシャフト１８及び支持シャフト１９は互いに平行となされ、また、ディスクテーブル４０の上面部に平行となされて配設されている。
【００４６】
フレーム１は、図１に示すように、ガイドシャフト１８が挿通されるガイド孔１３と、支持シャフト１９が挿入される支持溝部１５を有している。このフレーム１は、ガイドシャフト１８及び支持シャフト１９に沿って移動操作されることにより、上面部をディスクテーブル４０上に装着された光ディスク１０１，１０２の主面部に対向させた状態で、スピンドルモータ１７に対する接離方向、すなわち、該光ディスク１０１，１０２の径方向に移動される。このフレーム１は、シャーシ上に配設されたスレッドモータにより移動操作される。
【００４７】
なお、フレーム１とスピンドルモータ１７との位置関係、すなわち、該フレーム１と光ディスク１０１，１０２との位置関係は、スピンドルモータ１７を固定してフレーム１を移動操作することによって変動することとしてもよく、逆に、フレーム１を固定してスピンドルモータ１７を移動操作することによって変動することとしてもよく、さらに、これらフレーム１及びスピンドルモータ１７の双方がそれぞれ移動操作することによって変動することとしてもよい。
【００４８】
〔３〕二軸アクチュエータ（対物レンズ駆動装置）の構成
ところで、光ディスク１０１，１０２の透明基板は、平板状に形成されているが、僅かな歪みを有することがあり、そのため、中央部分をディスクテーブルに保持されて回転操作されるとき、いわゆる面振れを起こす。すなわち、光ディスク１０１，１０２の信号記録層は、この光ディスク１０１，１０２が中央部分を保持されて回転操作されるとき、光学ピックアップに対して接離する方向に周期的に移動する。また、光ディスク１０１，１０２の記録トラックは、曲率中心が透明基板の中心に一致するように形成されているが、僅かな偏心を有することがあり、そのため、該透明基板が中央部分を保持されて回転操作されるとき、この光ディスク１０１，１０２の径方向に周期的に移動する。
【００４９】
このような光ディスク１０１，１０２の面振れや偏心による記録トラックの移動に対して、これら光ディスク１０１，１０２に対する情報信号の書き込み及び読み出しを行うためのレーザ光束を追従させるため、光学ピックアップは、図４及び図７に示すように、第１及び第２の二軸アクチュエータ２，３を備えている。これら二軸アクチュエータ２，３は、フレーム１の上面部に取付けられている。
【００５０】
第１の二軸アクチュエータ２は、第１の対物レンズ４を、この第１の対物レンズ４の光軸方向、すなわち、図１及び図８中矢印Ｆで示すフォーカス方向及びこの光軸に直交する方向、すなわち、図１中矢印Ｔ１及び図７中矢印Ｔで示すトラッキング方向に移動操作可能に支持している。第１の対物レンズ４は、開口数が０．６となされている。
【００５１】
また、第２の二軸アクチュエータ３は、第２の対物レンズ５を、この第２の対物レンズ５の光軸方向、すなわち、図１及び図８中矢印Ｆで示すフォーカス方向及びこの光軸に直交する方向、すなわち、図１中矢印Ｔ２及び図７中矢印Ｔで示すトラッキング方向に移動操作可能に支持している。第２の対物レンズ５は、開口数が０．４５となされている。
【００５２】
これら対物レンズ４，５は、ディスクテーブル４０上に装着された光ディスク１０１，１０２の信号記録層に対向させられるとともに、フレーム１がガイドシャフトに沿って移動操作されることにより、図７中矢印Ｔで示すように、該光ディスク１０１，１０２の内外周に亘って移動操作される。第１及び第２の対物レンズ４，５は、ガイドシャフトの長手方向に略々直交する方向、すなわち、ディスクテーブル上に装着された光ディスク１０１，１０２の周方向に配列されている。また、第１及び第２の対物レンズ４，５は、互いに光軸を平行として支持されている。
【００５３】
各二軸アクチュエータ２，３は、それぞれ、フレーム１上に固定して配設される基台部２３，２５を有している。そして、これら二軸アクチュエータ２，３は、対物レンズ４，５が取付けられた可動部となるコイルボビン２ｂ，３ｂを有している。このコイルボビン２ｂ，３ｂは、合成樹脂材料により枠状の形状を有して形成され、前端側部分に、対物レンズ４，５が嵌合される対物レンズ取付け孔が設けられている。この対物レンズ取付け孔には、対物レンズ４，５が上方側より嵌合されて取付けられる。このコイルボビン２ｂ，３ｂは、両側側部分を、弾性部材である一対の板バネ部材２ａ、３ａを介して、上側基台部２３，２５に対して支持されている。
【００５４】
これら板バネ部材２ａ、３ａは、燐青銅の如き適切な弾性を有する金属材料により、薄く細長い板状に形成されている。これら板バネ部材２ａ、３ａは、互いに略々平行となされ、コイルボビン２ｂ，３ｂを基台部２３，２５に対して変位可能に支持している。
【００５５】
そして、各コイルボビン２ｂ，３ｂには、フォーカス駆動コイル及びトラッキング駆動コイルが取付けられている。フォーカス駆動コイルは、コイルボビン２ｂ，３ｂの側面部（外周部）に対して巻回され、コイルの中心軸を対物レンズ４，５の光軸に対して平行としている。トラッキング駆動コイルは、略々円環状に巻回されコイルボビン２ｂ，３ｂの端面部に取付けられている。このトラッキング駆動コイルは、コイルの中心軸を各板バネ部材２ａ、３ａに平行となし、該中心軸を対物レンズ４，５の光軸に対して直交する方向としている。
【００５６】
そして、基台部２３，２５上には、マグネット５４，５４及びヨーク２４，２６からなる磁気回路が設けられている。各ヨーク２４，２６は、鉄の如き磁性材料（高透磁率材料）により形成されている。このヨーク２４，２６は、コイルボビン２ｂ，３ｂ内の中空部に、下方側より進入され、トラッキング駆動コイルの近傍に位置している。このヨーク２４，２６の前面部には、マグネット５４，５４が、接着剤を用いた接着により取付けられている。
【００５７】
第１の二軸アクチュエータ２においては、第１の対物レンズ４は、この第１の対物レンズ４の光軸方向、すなわち、図８中矢印Ｆで示すフォーカス方向、及び、該光軸に直交する方向、すなわち、図７中矢印Ｔで示すトラッキング方向の２方向に移動可能に支持されているとともに、各駆動コイル及びマグネット５４間に生ずる電磁力により、該２方向に移動操作される。
【００５８】
また、第２の二軸アクチュエータ３においては、第２の対物レンズ５は、この第２の対物レンズ５の光軸方向、すなわち、図８中矢印Ｆで示すフォーカス方向、及び、該光軸に直交する方向、すなわち、図７中矢印Ｔで示すトラッキング方向の２方向に移動可能に支持されているとともに、各駆動コイル及びマグネット５４間に生ずる電磁力により、該２方向に移動操作される。
【００５９】
これら二軸アクチュエータ２，３の構成をより詳しく説明すると、図６に示すように、これら二軸アクチュエータ２，３は、対物レンズ４，５が取付けられた可動部となるコイルボビン本体部６９を有している。このコイルボビン本体部６９は、合成樹脂材料により枠状の形状を有して形成され、前端側部分に、対物レンズ４，５が嵌合される対物レンズ取付け孔７０が設けられている。この対物レンズ取付け孔７０には、対物レンズ４，５が上方側より嵌合されて取付けられる。このコイルボビン本体部６９は、両側側部分を、弾性部材となる一対の板バネ６５，６６を介して、上側固定ブロック５９に対して支持されている。
【００６０】
これら板バネ６５，６６は、燐青銅の如き適切な弾性を有する金属材料により、薄く細長い板状に一体的に形成されている。これらコイルボビン本体部６９及び上側固定ブロック５９と各板バネ６５，６６とは、いわゆるアウトサート成型により、該各板バネ６５，６６の先端側部分及び基端側部分が該コイルボビン本体部６９及び該上側固定ブロック５９の内部に埋没された状態で連結されている。これら板バネ６５，６６の基端部分は、上側固定ブロック５９の後端面より、接続端子として後方側に突出されている。また、これら板バネ６５，６６の先端部分は、コイルボビン本体部６９内に埋設され後端部をこのコイルボビン本体部６９の後端面より接続端子８１として後方側に突出させた端子板に連設されている。
【００６１】
また、コイルボビン本体部６９の下面部には、ボビン支持枠６４が取付けられている。このボビン支持枠６４は、コイルボビン本体部６９と同様の材料により、該コイルボビン本体部６９の両側側部分を支持する枠状に形成されている。このボビン支持枠６４は、上面部に一対の位置決め突起８３，８３が突設されており、これら位置決め突起８３，８３によってコイルボビン本体部６９に対して位置決めされ、このコイルボビン本体部６９に対して接着剤により接着されて固定される。このボビン支持枠６４は、両側側部分を、板バネ部材２ａ、３ａとなる一対の板バネ６０，６１を介して、下側固定ブロック５８に対して支持されている。
【００６２】
これら板バネ６０，６１は、燐青銅の如き適切な弾性を有する金属材料により、薄く細長い板状に一体的に形成されている。これらボビン支持枠６４及び下側固定ブロック５８と各板バネ６０，６１とは、いわゆるアウトサート成型により、各板バネ６０，６１の先端側部分及び基端側部分が該ボビン支持枠６４及び該下側固定ブロック５８の内部に埋没された状態で連結されている。これら板バネ６０，６１の基端部分は、下側固定ブロック５８の後端面より、接続端子として後方側に突出されている。また、これら板バネ６０，６１の先端側部分は、ボビン支持枠６４内に埋設され、この先端側部分の後端部をこのボビン支持枠６４の後端面より接続端子８１として後方側に突出させた端子板に連設されている。
【００６３】
下側固定ブロック５８及び上側固定ブロック５９は、固定板５６を介して、対物レンズ駆動機構支持板２３及びヨーク部２５上に固定して配設される。すなわち、下側固定ブロック５８が固定板５６上に接着剤により接着されて固定され、この下側固定ブロック５８上に上側固定ブロック５９が接着剤により接着されて固定され、さらに、該固定板５６が対物レンズ駆動機構支持板２３及びヨーク部２５に対して接着剤により接着され、または、半田付けにより固定されることにより、固定部が構成される。なお、固定板５６の両側側部分には、下側固定ブロック５８を位置決めするための位置決め突片５７，５７が突設されている。また、下側固定ブロック５８の上面部には、上側固定ブロック５９を位置決めするための位置決め突起８２が設けられている。
【００６４】
各板バネ６０，６１，６５，６６は、それぞれ、直線部分とクランク部６２，６３，６７，６８とを有し、基端側が各固定ブロック５８，５９からなる固定部に取付けられ、先端側がコイルボビン本体部６９またはボビン支持枠６４に取付けられている。これら板バネ６０，６１，６５，６６は、各直線部分を互いに略々平行とし、コイルボビン本体部６９及びボビン支持枠６４を固定部に対して変位可能に支持している。
【００６５】
そして、クランク部６２，６３，６７，６８は、各板バネ６０，６１，６５，６６の基端側部分に設けられ、２ヶ所の互いに反対方向の９０°の屈折部を有して形成されている。また、これら板バネ６０，６１，６５，６６においては、クランク部６２，６３，６７，６８の基端側及び中途部分の両側を囲むようにして、変位規制片部７８が設けられている。
【００６６】
そして、ボビン支持枠６４及びコイルボビン本体部６９には、コイル巻回部７２が取付けられている。このコイル巻回部７２は、上方側及び下方側が開放された中空の四角柱状に形成されている。このコイル巻回部７２は、コイルボビン本体部６９及びボビン支持枠６４の略々中央部に設けられた透孔部内に嵌合されるとともに、該ボビン支持枠６４の上面部に突設された一対の位置決め突片７９，７９により位置決めされて、該コイルボビン本体部６９及び該ボビン支持枠６４に対して、接着剤により接着されて固定されている。
【００６７】
コイル巻回部７２には、フォーカスコイル７３及びトラッキングコイル７４，７４が取付けられている。フォーカスコイル７３は、コイル巻回部７２の側面部（外周部）に対して巻回され、コイルの中心軸を対物レンズ４，５の光軸に対して平行としている。トラッキングコイル７４，７４は、それぞれトラッキングコイルボビン７５，７５に巻回されて構成され、これらトラッキングコイルボビン７５，７５がコイル巻回部７２の前端面部に取付けられることにより、該コイル巻回部７２に取付けられている。これらトラッキングコイル７４，７４は、コイルの中心軸を互いに平行となすとともに、該中心軸を各板バネ６０，６１，６５，６６の直線部分に平行となし、該中心軸を対物レンズ４，５の光軸に対して直交する方向としている。
【００６８】
各コイル７３，７４，７４の巻始め及び巻終わりの引き出し線は、コイル巻回部７２の後方側に突設された４本の端子棒８０，８０，８０，８０に対応して接続されている。そして、これら端子棒８０，８０，８０，８０は、コイルボビン本体部６９内及びボビン支持枠６４内に埋設された端子板のこれらコイルボビン本体部６９及びボビン支持枠６４の後端面より後方側に突出された各接続端子８１，８１，８１，８１に対応して、半田付けにより接続されている。
【００６９】
コイルボビン本体部６９、ボビン支持枠６４及びコイル巻回部７２は、この二軸アクチュエータ２，３のコイルボビン２ｂ，３ｂを構成している。
【００７０】
そして、対物レンズ駆動機構支持板２３及びヨーク部２５上には、前後一対のヨーク２４，２４、２６，２６がこの対物レンズ駆動機構支持板２３及びヨーク部２５に対して一体的に立設されている。これら対物レンズ駆動機構支持板２３、ヨーク部２５及び各ヨーク２４，２４、２６，２６は、鉄の如き磁性材料（高透磁率材料）により形成されている。後側のヨーク２４，２６は、コイル巻回部７２内の中空部に、下方側より進入されている。この後側のヨーク２４，２６の前面部には、マグネット５４が、接着剤を用いた接着により取付けられている。前側のヨーク２４，２６は、ボビン支持枠６４及びコイルボビン本体部６９の中央部の透孔内に下方側より進入され、コイル巻回部７２の前方側、すなわち、各トラッキングコイル７４，７４の前方側に位置している。そして、各ヨーク２４，２４、２６，２６の上端部同士は、連結板５５を介して、互いに連結されている。この連設板５５は、各ヨーク２４，２４、２６，２６と同様に、鉄の如き磁性材料（高透磁率材料）により形成されている。
【００７１】
第１の二軸アクチュエータ２においては、第１の対物レンズ４は、この第１の対物レンズ４の光軸方向、すなわち、図６中矢印Ｆで示すフォーカス方向、及び、該光軸に直交する方向、すなわち、図１中矢印Ｔ１で示す第１のトラッキング方向の２方向に移動可能に支持されているとともに、各コイル７３，７４，７４及びマグネット５４間に生ずる電磁力により、該２方向に移動操作される。
【００７２】
また、第２の二軸アクチュエータ３においては、第２の対物レンズ５は、この第２の対物レンズ５の光軸方向、すなわち、図６中矢印Ｆで示すフォーカス方向、及び、該光軸に直交する方向、すなわち、図１中矢印Ｔ２で示す第２のトラッキング方向の２方向に移動可能に支持されているとともに、各コイル７３，７４，７４及びマグネット５４間に生ずる電磁力により、該２方向に移動操作される。
【００７３】
記録トラックは、上述したように、光ディスク１０１，１０２において、信号記録層上に略々同心円状をなして螺旋（スパイラル）状に形成されている。この光ディスクにおいて、情報信号は、記録トラックに沿って書き込まれる。これら二軸アクチュエータ２，３は、対物レンズ４，５を光ディスク１０１，１０２の変位に追従させるために該対物レンズ４，５を移動操作する。すなわち、光学ピックアップは、光ディスクの信号記録層上の情報信号が書き込まれる位置に対して、常に、対物レンズ４，５を透過した光束を集光させることとなる。
【００７４】
この光学ピックアップは、チャッキング孔１０３においてディスクテーブル４０上に保持されてスピンドルモータ１７によって回転操作される光ディスク１０１，１０２に対向され、この光ディスク１０１，１０２の径方向に移動操作されることによって、この光ディスク１０１，１０２との相対的な位置としては記録トラックに沿って移動されながら、該記録トラックに対して、情報信号の書き込みまたは読み出しを行う。したがって、この光学ピックアップは、対物レンズ４，５によるレーザ光束の集光位置を、光ディスクの面振れ及び偏心による記録トラックの位置の変位に追従させなければならない。そのため、各二軸アクチュエータ２，３は、対物レンズ４，５をフォーカス方向とトラッキング方向とに移動操作する。
【００７５】
これら二軸アクチュエータ２，３においては、フォーカス駆動コイルにフォーカス駆動電流が供給されることにより、コイルボビン２ｂ，３ｂは、図８中矢印Ｆで示すように、フォーカス方向に移動操作される。また、これら二軸アクチュエータ２，３においては、トラッキング駆動コイルにトラッキング駆動電流が供給されることにより、コイルボビン２ｂ，３ｂは、図７中矢印Ｔで示すように、トラッキング方向に移動操作される。
【００７６】
これら二軸アクチュエータにおいて、フォーカス駆動電流及びトラッキング駆動電流は、対物レンズ４，５によるレーザ光束の集光位置と記録トラックとのずれ量を示すエラー信号（フォーカスエラー信号及びトラッキングエラー信号）に基づいて供給される。したがって、これら二軸アクチュエータ２，３は、光ディスク１０１，１０２の回転周期に同期して、対物レンズ４，５について周期的な移動操作を行うこととなる。
【００７７】
信号記録層上に集光されたレーザ光束は、この信号記録層において、この信号記録層に書き込まれている情報信号に応じて反射強度または偏光方向を変調されて、反射される。この信号記録層において反射された反射光束は、それぞれ対物レンズ４，５に戻り、この対物レンズ４，５を経て、後述するようにフレーム１内に配設された光検出器により受光される。この光検出器は、複数のフォトディテクタを有して構成されている。この光検出器よりの出力信号からは、光ディスク１０１，１０２よりの情報信号の読み取り信号、フォーカスエラー信号及びトラッキングエラー信号が生成される。
【００７８】
〔４〕複数の光路
フレーム１内には、図５に示すように、第１の光源となる半導体レーザ３８及び第２の光源となる半導体レーザチップを有する発光受光複合素子、すなわち、レーザカプラ３３が内蔵されている。半導体レーザ３８及びレーザカプラ３３の半導体レーザチップは、それぞれ直線偏光のコヒーレント光である第１及び第２のレーザ光束を発する。これらレーザ光束は、発散光束である。半導体レーザ３８が発する第１のレーザ光束の波長は、第１の波長である６３５ｎｍ、または、６５０ｎｍである。また、レーザカプラ３３の半導体レーザチップが発する第２のレーザ光束の波長は、第２の波長である７８０ｎｍである。
【００７９】
半導体レーザ３８には、高周波モジュール基板３７が接続される。この高周波モジュール基板３７には、半導体レーザ３８における戻り光ノイズの発生を防止するため、該半導体レーザ３８を３００ｍＨｚ乃至４００ＭＨｚ程度の周波数で高周波駆動する高周波回路が設けられている。
【００８０】
また、半導体レーザ３８は、図４に示すように、フレーム１に設けられた取付け孔内に嵌合されて、このフレーム１に対して固定して配設されている。この半導体レーザ３８より発せられた第１のレーザ光束は、図５に示すように、回折格子、すなわち、グレーティング３９を経て、平板状のビームスプリッタ２８に入射する。グレーティング３９は、第１のレーザ光束を、０次光及び±１次光の３本のレーザ光束に分岐させる。ビームスプリッタ２８は、主面部を第１のレーザ光束の光軸に対して４５°の角度となして配設されている。このビームスプリッタ２８は、第１のレーザ光束の一部を透過させるが、残部を反射する。このビームスプリッタ２８により反射された第１のレーザ光束は、コリメータレンズ２９に入射され、このコリメータレンズ２９により第１の平行レーザ光束となされる。
【００８１】
コリメータレンズ２９を経た第１の平行レーザ光束は、第１の反射ミラー３０により反射されて９０°偏向され、第１の対物レンズ４に入射される。この第１の対物レンズ４は、第１の平行レーザ光束を、第１種類の光ディスク１０１の信号記録層上に集光させる。
【００８２】
第１種類の光ディスク１０１の信号記録層上に集光された第１のレーザ光束は、この信号記録層により反射され、第１の対物レンズ４、第１の反射ミラー３０、コリメータレンズ２９を経て、ビームスプリッタ２８を透過して、光検出器３２により受光される。
【００８３】
レーザカプラ３３は、半導体レーザチップ及び第１、第２の光検出器が同一の半導体基材部上に配設されて構成されている。半導体レーザチップは、半導体基材部上に、ヒートシンクを介して配設されている。各光検出器は、それぞれ複数の受光面に分割された状態で、半導体基材部上に形成されている。
【００８４】
そして、このレーザカプラ３３においては、各光検出器上に位置して、ビームスプリッタプリズムが配設されている。このビームスプリッタプリズムは、半導体基材部の上面部に対して所定の傾斜角を有する斜面部であるビームスプリッタ面を、半導体レーザチップ側に向けている。
【００８５】
このレーザカプラ３３において、半導体レーザチップは、ビームスプリッタ面に向けて第２のレーザ光束を発する。この半導体レーザチップより発せられた第２のレーザ光束は、ビームスプリッタ面により反射され、半導体基材部に対する垂直上方に射出される。
【００８６】
レーザカプラ３３より射出された第２のレーザ光束は、折り曲げミラー１０によって反射されて９０°偏向され、さらに、第２の反射ミラー３４により反射されて９０°偏向され、第２の対物レンズ５に入射される。第２の対物レンズ５に入射された第２のレーザ光束は、この第２の対物レンズ５により、第２種類の光ディスク１０２の透明基板を透して、該第２種類の光ディスク１０２の信号記録層の表面部上に集光される。
【００８７】
第２種類の光ディスク１０２の信号記録層上に集光された第２のレーザ光束は、この信号記録層により反射されて、第２の対物レンズ５、第２の反射ミラー３４、折り曲げミラー１０を経て、レーザカプラ３３の光検出器により受光される。
【００８８】
そして、この光学ピックアップにおいては、半導体レーザ３８より第１の対物レンズ４に至る第１の光路とレーザカプラ３３のレーザチップより第２の対物レンズ５に至る第２の光路とは、フレーム１内において、交点において互いに交差する。この交点は、第１の光路上においては、コリメータレンズ２９及び第１の反射ミラー３０の間に位置する。また、この交点は、第２の光路上においては、折り曲げミラー１０及び第２の反射ミラー３４の間に位置する。すなわち、第１及び第２の光路の交点は、これら光路の各対物レンズ４，５の光軸に垂直な方向となされている部分に位置している。この光学ピックアップにおいては、各光路が互いに交差されていることにより、これら光路が占有する体積の総和が、該各光路が重なり合っている分だけ減少されている。
【００８９】
また、この光学ピックアップにおいて、フレーム１内には、図７及び図８に示すように、第１の光源となる第１の半導体レーザ３８及び第２の光源となる第２の半導体レーザ３８ａを内蔵することとしてもよい。各半導体レーザ３８，３８ａは、それぞれ直線偏光のコヒーレント光である第１及び第２のレーザ光束を発する。これらレーザ光束は、発散光束である。第１の半導体レーザ３８が発する第１のレーザ光束の波長は、第１の波長である６３５ｎｍ、または、６５０ｎｍである。また、第２の半導体レーザ３８ａが発する第２のレーザ光束の波長は、第２の波長である７８０ｎｍである。
【００９０】
第１の半導体レーザ３８より発せられた第１のレーザ光束は、図示しないグレーティングを経て、平板状のビームスプリッタ２８に入射する。グレーティングは、第１のレーザ光束を、０次光及び±１次光の３本のレーザ光束に分岐させる。ビームスプリッタ２８は、主面部を第１のレーザ光束の光軸に対して４５°の角度となして配設されている。このビームスプリッタ２８は、第１のレーザ光束の一部を透過させるが、残部を反射する。このビームスプリッタ２８により反射された第１のレーザ光束は、第１の反射ミラー３０により反射されて９０°偏向され、フレーム１の上面部に設けられた透孔を介して、このフレーム１の外方側に射出される。そして、第１のレーザ光束は、第１の二軸アクチュエータ２によって支持された第１の対物レンズ４に入射される。この第１の対物レンズ４は、第１のレーザ光束を、第１種類の光ディスク１０１の信号記録層上に集光させる。
【００９１】
そして、第１種類の光ディスク１０１の信号記録層の表面で反射された第１のレーザ光束は、第１の対物レンズ４及びビームスプリッタ２８を透過して、第１の光検出器３２により受光される。
【００９２】
また、第２の半導体レーザ３８ａより発せられた第２のレーザ光束は、平板状のビームスプリッタ２８ａに入射する。このビームスプリッタ２８ａは、主面部を第２のレーザ光束の光軸に対して４５°の角度となして配設されている。このビームスプリッタ２８ａは、第２のレーザ光束の一部を透過させるが、残部を反射する。このビームスプリッタ２８ａにより反射された第２のレーザ光束は、第２の反射ミラー３４により反射されて９０°偏向され、フレーム１の上面部に設けられた透孔を介して、このフレーム１の外方側に射出される。そして、第２のレーザ光束は、第２の二軸アクチュエータ３によって支持された第２の対物レンズ５に入射される。この第２の対物レンズ５は、第２のレーザ光束を、第２種類の光ディスク１０２の信号記録層上に集光させる。
【００９３】
そして、第２種類の光ディスク１０２の信号記録層の表面で反射された第２のレーザ光束は、第２の対物レンズ５及びビームスプリッタ２８ａを透過して、第２の光検出器３２ａにより受光される。
【００９４】
第１の半導体レーザ３８より第１の対物レンズ４に至る第１の光路と第２の半導体レーザ３８ａより第２の対物レンズ５に至る第２の光路とは、フレーム１内において、交点Ｘにおいて互いに光軸を交差させている。この交点Ｘは、第１の光路上においては、ビームスプリッタ２８及び第１の反射ミラー３０の間に位置する。第１の反射ミラー３０は、図８に示すように、第１のレーザ光束を偏向させて第１の対物レンズ４に入射させるためのものである。また、この交点Ｘは、第２の光路上においては、ビームスプリッタ２８ａ及び第２の反射ミラー３４の間に位置する。第２の反射ミラー３４は、図８に示すように、第２のレーザ光束を偏向させて第２の対物レンズ５に入射させるためのものである。
【００９５】
この光学ピックアップにおいては、各光路が互いに交差されていることにより、これら光路が占有する体積の総和が、該各光路が重なり合っている分だけ減少されている。そのため、この光学ピックアップにおいては、図７中矢印Ｗで示すフレーム１の各対物レンズ４，５の配列方向の大きさを小さくすることができる。
【００９６】
〔５〕ディスクプレーヤの構成
本発明に係るディスクプレーヤにおいては、ディスクテーブル上に装着された光ディスクの種類（種別）を判別する制御手段となる制御回路が設けられる。また、この制御回路は、各半導体レーザ３８，３８ａ、または、レーザカプラ３３の半導体レーザチップの点灯、消灯を制御する。さらに、この制御回路には、光学ピックアップより出力される信号が送られる。この制御回路は、送られる種々の信号に応じて、各半導体レーザ３８，３８ａ、各二軸アクチュエータ２，３、スピンドルモータ１７及びスレッドモータを制御する。
【００９７】
制御回路は、ディスクテーブル４０上に装着されているのが第１種類の光ディスク１０１であると判断された場合には、第１の半導体レーザ３８を発光させ、レーザカプラ３３の半導体レーザチップ、または、第２の半導体レーザ３８ａを消光させる。このとき、第１の対物レンズ４を経た第１のレーザ光束は、第１種類の光ディスク１０１の透明基板側よりこの第１種類の光ディスク１０１に対して照射され、該透明基板を透過して、信号記録層上に集光される。第１の対物レンズ４は、第１の二軸アクチュエータ２によりこの第１の対物レンズ４の光軸方向及び該光軸に直交する方向に移動操作される。この第１の対物レンズ４は、第１の二軸アクチュエータ２により第１種類の光ディスク１０１の該第１の対物レンズ４の光軸方向への変位（いわゆる面振れ）に追従して移動操作されることにより、レーザ光束の集光点を、常に、信号記録層上に位置させる。また、この第１の対物レンズ４は、第１の二軸アクチュエータ２により第１種類の光ディスク１０１の記録トラックの該第１の対物レンズ４の光軸に直交する方向への変位に追従して移動操作されることにより、第１のレーザ光束の集光点を、常に、該記録トラック上に位置させる。
【００９８】
この光学ピックアップは、第１種類の光ディスク１０１の信号記録層上に第１のレーザ光束を集光して照射することにより、この信号記録層に対する情報信号の書き込み及び読み出しを行う。この情報信号の書き込みにおいて、第１種類の光ディスク１０１が光磁気ディスクである場合には、この光磁気ディスクには、第１のレーザ光束が照射されるとともに、この第１のレーザ光束の照射位置に外部磁界が印加される。第１のレーザ光束の光出力、または、外部磁界の強度のいずれかを記録する情報信号に応じて変調させることにより、光磁気ディスクに対する情報信号の書き込みが行われる。また、第１種類の光ディスク１０１が相変化型ディスクである場合には、第１のレーザ光束の光出力を記録する情報信号に応じて変調させることにより、この相変化型ディスクに対する情報信号の書き込みが行われる。
【００９９】
そして、この光学ピックアップにおいては、第１種類の光ディスク１０１の信号記録層上に第１のレーザ光束を集光して照射し、このレーザ光束の該信号記録層による反射光束を検出することにより、この信号記録層よりの情報信号の読み出しが行われる。
【０１００】
この情報信号の読み出しにおいて、第１種類の光ディスク１０１が光磁気ディスクである場合には、反射光束の偏光方向の変化を検出することにより、光磁気ディスクよりの情報信号の読み出しが行われる。また、第１種類の光ディスク１０１が相変化型ディスク、または、いわゆるピットディスクである場合には、反射光束の反射光量の変化を検出することによって、この相変化型ディスクよりの情報信号の読み出しが行われる。
【０１０１】
すなわち、信号記録層上に集光された第１のレーザ光束は、該信号記録層により反射され、反射光束として、第１の対物レンズ４に戻る。この第１の対物レンズ４に戻った反射光束は、この第１の対物レンズ４及び第１の反射ミラー３０を経て、第１のビームスプリッタ２８に戻る。この第１のビームスプリッタ２８に戻った反射光束は、この第１のビームスプリッタ２８を透過して、第１の半導体レーザ３８に戻る光路に対して分岐されて、第１の光検出器３２に向かう。
【０１０２】
第１のビームスプリッタ２８は、反射光束の光軸に対して４５°の角度を有して傾斜された平行平面板であるため、この反射光束に非点収差を発生させる。この非点収差の方向及び量を検出することにより、フォーカスエラー信号が生成される。フォーカスエラー信号は、第１の対物レンズ４による第１のレーザ光束の集光点と第１種類の光ディスク１０１の信号記録層の表面部との、該第１の対物レンズ４の光軸方向の位置ずれの量及び方向を示す信号である。また、第１の光検出器３２の検出出力に基づき、トラッキングエラー信号が生成される。トラッキングエラー信号は、第１の対物レンズ４による第１のレーザ光束の集光点と第１種類の光ディスク１０１の記録トラックとの、該第１の対物レンズ４の光軸に直交する方向の位置ずれの量及び方向を示す信号である。第１の二軸アクチュエータ２は、これらフォーカスエラー信号及びトラッキングエラー信号に基づいて駆動される。
【０１０３】
また、第１種類の光ディスク１０１が光磁気ディスクである場合には、第１のビームスプリッタ２を経た反射光束は、図示しないウォラストンプリズムを経て、第１の光検出器３２に入射する。ウォラストンプリズムは、反射光束を、この反射光束の偏光方向の偏光である第１の偏光成分と、この反射光束の偏光方向に対して＋４５°の方向の偏光である第２の偏光成分と、この反射光束の偏光方向に対して−４５°の方向の偏光である第３の偏光成分との、３本の光束に分岐させる。
【０１０４】
この場合には、第１の光検出器３２は、ウォラストンプリズムによって分岐された複数の光束に対応する複数のフォトダイオードを有して構成され、該各光束をそれぞれに対応するフォトダイオードによって受光するようになされている。この第１の光検出器３２の各フォトダイオードからの光検出出力を演算処理することにより、光磁気ディスクに記録された情報信号の読み出し信号が生成される。
【０１０５】
また、この光学ピックアップは、ガイドシャフト１８及び支持シャフト１９に沿って移動操作されることによって、第１の対物レンズ４が第１種類の光ディスク１０１の信号記録領域の全域に亘って対向するように移動操作されることにより、該信号記録領域の全域について、情報信号の書き込み及び読み出しを行うことができる。すなわち、この光学ピックアップは、第１種類の光ディスク１０１の内外周に亘って移動操作されるとともに、この第１種類の光ディスク１０１が回転操作されることにより、この第１種類の光ディスク１０１の信号記録領域の全域について情報信号の書き込み及び読み出しを行うことができる。
【０１０６】
制御回路は、ディスクテーブル上に装着されているのが第２種類の光ディスク１０２であると判断された場合には、レーザカプラ３３の半導体レーザチップ、または、第２の半導体レーザ３８ａを発光させ、第１の半導体レーザ３８を消光させる。このとき、第２の対物レンズ５を経た第２のレーザ光束は、第２種類の光ディスク１０２の透明基板側よりこの第２種類の光ディスク１０２に対して照射され、該透明基板を透過して、信号記録層上に集光される。第２の対物レンズ５は、第２の二軸アクチュエータ３によりこの第２の対物レンズ５の光軸方向及び該光軸に直交する方向に移動操作される。この第２の対物レンズ５は、第２の二軸アクチュエータ３により第２種類の光ディスク１０２の該第２の対物レンズ５の光軸方向への変位（いわゆる面振れ）に追従して移動操作されることにより、レーザ光束の集光点を、常に、信号記録層上に位置させる。また、この第２の対物レンズ５は、第２の二軸アクチュエータ３により第２種類の光ディスク１０２の記録トラックの該第２の対物レンズ５の光軸に直交する方向への変位に追従して移動操作されることにより、第２のレーザ光束の集光点を、常に、該記録トラック上に位置させる。
【０１０７】
この光学ピックアップは、第２種類の光ディスク１０２の信号記録層上に第２のレーザ光束を集光して照射することにより、この信号記録層に対する情報信号の書き込み及び読み出しを行う。この情報信号の書き込みにおいて、第２種類の光ディスク１０２が光磁気ディスクである場合には、この光磁気ディスクには、第２のレーザ光束が照射されるとともに、この第２のレーザ光束の照射位置に外部磁界が印加される。第２のレーザ光束の光出力、または、外部磁界の強度のいずれかを記録する情報信号に応じて変調させることにより、光磁気ディスクに対する情報信号の書き込みが行われる。また、第２種類の光ディスク１０２が相変化型ディスクである場合には、第２のレーザ光束の光出力を記録する情報信号に応じて変調させることにより、この相変化型ディスクに対する情報信号の書き込みが行われる。
【０１０８】
そして、この光学ピックアップにおいては、第２種類の光ディスク１０２の信号記録層上に第２のレーザ光束を集光して照射し、このレーザ光束の該信号記録層による反射光束を検出することにより、この信号記録層よりの情報信号の読み出しが行われる。
【０１０９】
この情報信号の読み出しにおいて、第２種類の光ディスク１０２が光磁気ディスクである場合には、反射光束の偏光方向の変化を検出することにより、光磁気ディスクよりの情報信号の読み出しが行われる。また、第２種類の光ディスク１０２が相変化型ディスク、または、いわゆるピットディスクである場合には、反射光束の反射光量の変化を検出することによって、この相変化型ディスクよりの情報信号の読み出しが行われる。
【０１１０】
すなわち、信号記録層上に集光された第２のレーザ光束は、該信号記録層により反射され、反射光束として、第２の対物レンズ５に戻る。この第２の対物レンズ５に戻った反射光束は、この第２の対物レンズ５及び第２の反射ミラー３４を経て、レーザカプラ３３、または、第２のビームスプリッタ２８ａに戻る。このレーザカプラ３３、または、第２のビームスプリッタ２８ａに戻った反射光束は、このレーザカプラ３３のビームスプリッタ面、または、第２のビームスプリッタ２８ａを透過して、第２の半導体レーザ３８ａに戻る光路に対して分岐されて、レーザカプラ３３の第１、第２の光検出器、または、第２の光検出器３２ａに向かう。
【０１１１】
レーザカプラ３３のビームスプリッタ面に戻った反射光束は、このビームスプリッタ面を透過してビームスプリッタプリズム内に入射することにより、半導体レーザチップに戻る光路より分岐され、第１の光検出器により受光される。また、この反射光束は、第１の光検出器の表面部及びビームスプリッタプリズムの内面部により反射されて、第２の光検出器にも受光される。各光検出器より出力される光検出出力に基づいて、第２種類の光ディスク１０２に記録された情報信号の読み出し信号、いわゆるＲＦ信号、第２の対物レンズ５による第２のレーザ光束の集光点と信号記録層の表面部との光軸方向のずれ、すなわち、フォーカスエラーを示すフォーカスエラー信号、及び、該集光点と該信号記録層の表面部に形成された記録トラックとの該光軸及び該記録トラックに直交する方向のずれ、すなわち、トラッキングエラーを示すトラッキングエラー信号が算出される。
【０１１２】
すなわち、読み出し信号は、各光検出器の各光検出出力の和として得られる。また、フォーカスエラー信号は、各光検出器の各光検出出力の差として得られる。さらに、トラッキングエラー信号は、第１の光検出器の一側側の受光面からの光検出出力及び第２の光検出器の他側側の受光面からの光検出出力の和と、該第１の光検出器の他側側の受光面からの光検出出力及び該第２の光検出器の一側側の受光面からの光検出出力の和との差として得られる。
【０１１３】
また、第２のビームスプリッタ２８ａは、反射光束の光軸に対して４５°の角度を有して傾斜された平行平面板であるため、この反射光束に非点収差を発生させる。この非点収差の方向及び量を検出することにより、フォーカスエラー信号が生成される。フォーカスエラー信号は、第２の対物レンズ５による第２のレーザ光束の集光点と第２種類の光ディスク１０２の信号記録層の表面部との、該第２の対物レンズ５の光軸方向の位置ずれの量及び方向を示す信号である。また、第２の光検出器３２ａの検出出力に基づき、トラッキングエラー信号が生成される。トラッキングエラー信号は、第２の対物レンズ５による第２のレーザ光束の集光点と第２種類の光ディスク１０２の記録トラックとの、該第２の対物レンズ５の光軸に直交する方向の位置ずれの量及び方向を示す信号である。
【０１１４】
第２の二軸アクチュエータ３は、これらフォーカスエラー信号及びトラッキングエラー信号に基づいて駆動される。
【０１１５】
また、この光学ピックアップは、ガイドシャフト１８及び支持シャフト１９に沿って移動操作されることによって、第２の対物レンズ５が第２種類の光ディスク１０２の信号記録領域の全域に亘って対向するように移動操作されることにより、該信号記録領域の全域について、情報信号の書き込み及び読み出しを行うことができる。すなわち、この光学ピックアップは、第２種類の光ディスク１０２の内外周に亘って移動操作されるとともに、この第２種類の光ディスク１０２が回転操作されることにより、この第２種類の光ディスク１０２の信号記録領域の全域について情報信号の書き込み及び読み出しを行うことができる。
【０１１６】
そして、ディスクプレーヤにおいて、ディスクテーブル４０上に装着された光ディスク１０１，１０２の透明基板の厚さの検出は、該光ディスク１０１，１０２より読み出されるＲＦ信号の振幅に基づいて制御回路により判断することができる。すなわち、第１種類及び第２種類の光ディスク１０１，１０２のいずれかがディスクテーブル上に装着されたときには、レーザカプラ３３の半導体レーザチップ、または、第１及び第２の半導体レーザ３８，３８ａのうちの予め定めておいたいずれかの一方を発光させる。このとき、フォーカスサーボのみを作動させれば、ＲＦ信号の振幅を検出することができ、発光させているのがレーザカプラ３３の半導体レーザチップ、または、第１及び第２の半導体レーザ３８，３８ａのうちのいずれであるかということと、検出されたＲＦ信号の振幅とに基づき、ディスクテーブル上に装着されているのが第１種類及び第２種類の光ディスク１０１，１０２のいずれであるのかを判断することができる。
【０１１７】
なお、図１に示す光学ピックアップにおいては、図１中矢印Ｔ２で示す第２の二軸アクチュエータ３におけるトラッキング方向は、図２中矢印θで示すように、記録トラックの法線との角度をなるべく少なくするために、図１中矢印Ｔ１で示す第１の二軸アクチュエータ２におけるトラッキング方向に対して傾けられている。
【０１１８】
〔６〕複数の光路の他の例
この光学ピックアップにおいて、フレーム１内における第１及び第２の光束は、図９に示すように、これら光路のうちの一の光路において反射ミラーが設けられないこととしてもよい。すなわち、第１の半導体レーザより発せられた第１のレーザ光束は、平板状のビームスプリッタ２８に入射する。このビームスプリッタ２８は、主面部を第１のレーザ光束の光軸に対して４５°の角度となして配設されている。このビームスプリッタ２８は、第１のレーザ光束の一部を透過させ、残部を反射する。このビームスプリッタ２８により反射された第１のレーザ光束は、反射ミラー３０により反射されて、フレーム１の上面部に設けられた透孔を介して、このフレーム１の外方側に射出される。そして、第１のレーザ光束は、第１の対物レンズ４に入射される。この第１の対物レンズ４は、第１のレーザ光束を、第１種類の光ディスク１０１の信号記録層上に集光させる。
【０１１９】
そして、フレーム１内において第２の半導体レーザ３８ａより発せられた第２のレーザ光束は、平板状のビームスプリッタ２８ａに入射する。このビームスプリッタ２８ａは、主面部を第２のレーザ光束の光軸に対して４５°の角度となして配設されている。このビームスプリッタ２８ａは、第２のレーザ光束の一部を透過させ、残部を反射する。このビームスプリッタ２８ａにより反射された第２のレーザ光束は、フレーム１の上面部に設けられた透孔を介して、このフレーム１の外方側に射出される。そして、第２のレーザ光束は、第２の対物レンズ５に入射される。この第２の対物レンズ５は、第２のレーザ光束を、第２種類の光ディスク１０２の信号記録層上に集光させる。
【０１２０】
ここで、第１の半導体レーザ３８より第１の対物レンズ４に至る第１の光路と、第２の半導体レーザ３８ａより第２の対物レンズ５に至る第２の光路とは、交点Ｘにおいて、互いに光軸を交差させている。この交点Ｘは、第１の光路上においては、ビームスプリッタ２８及び反射ミラー３０の間に位置する。また、この交点Ｘは、第２の光路上においては、ビームスプリッタ２８ａ及び第２の対物レンズ５の間に位置する。
【０１２１】
この光学ピックアップにおいても、各光路が互いに交差されていることにより、これら光路が占有する体積の総和が、該各光路が重なり合っている分だけ減少されている。そのため、この光学ピックアップにおいても、フレーム１の大きさを小さくすることができる。
【０１２２】
さらに、本発明に係る光学ピックアップは、３個以上の複数の光源と、これら光源に対応された３個以上の複数の対物レンズとを備え、これら複数の光源より複数の対物レンズに至る３本以上の複数の光路を形成しているものとして構成してもよい。この場合においても、各光路は、互いに交差されることにより、フレームの小型化を可能とする。このように、３本以上の光路が形成されている場合においては、反射ミラーの如き偏向光学素子は、全ての光路上に各光路に対応して配設されるか、または、一の光路を除いた他の全ての光路上に該各他の光路に対応して配設されることとなる。
【０１２３】
また、本発明に係る光学ピックアップにおいて、二軸アクチュエータは、同一の可動部上に複数の対物レンズが取付けられたものとしてもよい。
【０１２４】
【発明の効果】
上述のように、本発明に係る光学ピックアップにおいては、複数の光源より、これら複数の光源に対応して配設された複数の対物レンズに至る複数の光束が、互いに交差されている。したがって、この光学ピックアップにおいては、各光束が占有する体積の総和が、該光束同士が重なり合っている分だけ少なくなされる。
【０１２５】
すなわち、本発明は、透明基板の厚さが異なる光学記録媒体に対して情報信号の書き込み及び読み出しが良好に行えるように複数の光源及び複数の対物レンズを備えた光学ピックアップにおいて、装置構成の小型化を図ることができるものである。
【０１２６】
また、本発明は、本発明に係る光学ピックアップを備えることにより、装置構成の小型化が図られたディスクプレーヤを提供することができるものである。
【図面の簡単な説明】
【図１】本発明に係る光学ピックアップの構成を示す斜視図である。
【図２】本発明に係るディスクプレーヤにおける上記光学ピックアップの構成を示す平面図である。
【図３】上記光学ピックアップの構成を示す縦断面図である。
【図４】上記光学ピックアップの構成を示す分解斜視図である。
【図５】上記光学ピックアップの光学系の構成を示す斜視図である。
【図６】上記光学ピックアップの二軸アクチュエータの構成を示す分解斜視図である。
【図７】本発明に係るディスクプレーヤにおける本発明に係る光学ピックアップの構成の他の例を示す平面図である。
【図８】図７に示した光学ピックアップの構成を示す側面図である。
【図９】本発明に係る光学ピックアップの構成のさらに他の例を示す側面図である。
【図１０】一の対物レンズを有する従来の光学ピックアップの構成を示す平面図である。
【図１１】図１０に示した従来の光学ピックアップの構成を示す側面図である。
【図１２】二の対物レンズを有する従来の光学ピックアップの構成を示す平面図である。
【符号の説明】
２  第１の二軸アクチュエータ、３  第２の二軸アクチュエータ、４  第１の対物レンズ、５  第２の対物レンズ、３０  第１の反射ミラー、３４  第２の反射ミラー、３８  第１の半導体レーザ、３８ａ  第２の半導体レーザ、１０１  第１種類の光ディスク、１０２  第２種類の光ディスク、Ｘ  光路の交点
【図１】
0003624624.tif 000002
【図２】
0003624624.tif 000003
【図３】
0003624624.tif 000004
【図４】
0003624624.tif 000005
【図５】
0003624624.tif 000006
【図６】
0003624624.tif 000007
【図７】
0003624624.tif 000008
【図８】
0003624624.tif 000009
【図９】
0003624624.tif 000010
【図１０】
0003624624.tif 000011
【図１１】
0003624624.tif 000012
【図１２】
0003624624.tif 000013